(57)【特許請求の範囲】
【請求項１】
溶着対象物を電磁誘導によって加熱して溶着する携帯用誘導加熱溶着装置であって、
電源部と、
前記溶着対象物に向き合う押え面を有する基台及び加熱コイルを備えた電磁加熱コイルユニットと、
前記電源部からの電力を用いて前記電磁加熱コイルユニットに電流を供給する給電部と、
前記給電部を制御する制御ユニットと、
前記押え面を覆うように前記基台に装着される押圧パッドと、
前記押圧パッドを強制冷却する冷却機構と、を備え、
前記冷却機構には冷却風を発生させる冷却ファンが含まれ、前記冷却風を前記押圧パッドに与える冷却通路が形成されている携帯用誘導加熱溶着装置。
【請求項２】
前記冷却ファンが、前記加熱コイル及び前記押圧パッドの上方に位置する請求項１に記載の携帯用誘導加熱溶着装置。
【請求項３】
前記冷却通路には、前記押圧パッドに形成されたパッド側冷却通路が含まれている請求項１又は２に記載の携帯用誘導加熱溶着装置。
【請求項４】
前記パッド側冷却通路は前記押圧パッドの前記押え面に向き合う面に溝状に形成された溝状通路と、前記溝状通路に連通して前記押圧パッドを貫通する流出孔とを有する請求項３に記載の携帯用誘導加熱溶着装置。
【請求項５】
前記電源部が充電可能なバッテリで構成され、
前記バッテリと前記電磁加熱コイルユニットと前記給電部と前記制御ユニットとを一体的に取り付けるハウジングが備えられている請求項１から４のいずれか１項に記載の携帯用誘導加熱溶着装置。 
【発明の詳細な説明】
【技術分野】
【０００１】
本発明は、磁気誘導加熱を利用して、溶着対象物を加熱して溶着する携帯用加熱溶着装置に関する。
【背景技術】
【０００２】
例えば、建築工事又は土木工事の防水作業、例えば陸屋根等の防水工事において、加熱接着性を有する樹脂を被覆した導体片をコンクリートなどの躯体表面にアンカーボルトで固定した上で、躯体上に防水シートを張り、導体片を誘導加熱することでそのシートを躯体上に接着固定する施工法が知られており、このような施工法に、加熱装置が利用されている。
【０００３】
特許文献１による建築用防水シート施工用誘導加熱装置は、商用電源に接続されて移動可能な装置本体と、その装置本体からケーブルで接続された加熱ホルダとからなり、上記装置本体には定電圧装置が備えられ、加熱ホルダには、ケーブルを介して給電される誘導コイルが備えられている。防水シート施工の際には、防水施工面における多数の所要位置の上面に熱溶着材層を有する導体片を固定し、防水施工面全面に亘ってこの施工面を被う防水シートを張り、その防水シート上からこの誘導加熱装置を用いて導体片を誘導加熱し、これにより溶けた熱溶着材層でもって防水シートが導体片に溶着固定される。
【０００４】
各導体片の熱溶着材層を溶かす誘導加熱が終了する毎に、加熱ホルダを横に移動させて、例えば、水を含ませた布やクッションなどをその溶着領域に押し当てながら冷却を行う。この冷却によって、接着部の熱が奪われ、接着性樹脂が速やかに固化して強固に固着するとともに、防水シートの昇温が阻止されて、その熱変形が防止されるので、この作業は重要である。
【先行技術文献】
【特許文献】
【０００５】
【特許文献１】特開２００３−３１３９９３号公報
【発明の概要】
【発明が解決しようとする課題】
【０００６】
上述したように、誘導加熱による溶着が終了する毎に、加熱ホルダを横に置いて、その溶着領域に冷却押圧用のクッション等を押し当てながら冷却するという作業は、作業者にとって負担となる。特に、重量のある加熱ホルダでの誘導加熱が終了するごとに加熱ホルダと冷却押圧用のクッションとを取り替えて作業することは作業者にとって負担となる。特に溶着箇所が数百以上になるような施工現場では負担が大きく、その改善が要望されている。
【課題を解決するための手段】
【０００７】
上記課題を解決するため、本発明による、溶着対象物を電磁誘導によって加熱して溶着する携帯用誘導加熱溶着装置は、電源部と、前記溶着対象物に向き合う押え面を有する基台及び加熱コイルを備えた電磁加熱コイルユニットと、前記電源部からの電力を用いて前記電磁加熱コイルユニットに電流を供給する給電部と、前記給電部を制御する制御ユニットと、前記押え面を覆うように前記基台に装着される押圧パッドと、前記押圧パッドを強制冷却する冷却機構と、を備え、前記冷却機構には冷却風を発生させる冷却ファンが含まれ、前記冷却風を前記押圧パッドに与える冷却通路が形成されている。
【０００８】
この構成によれば、押え面を溶着対象物に対向させた姿勢で電磁加熱コイルユニットによる誘導加熱で溶着対象物を溶着させた後は、誘導加熱を停止してそのままの姿勢で、押え面を覆っている押圧パッドを溶着対象物の方向に押し付けることで、溶着対象物をしっかりと圧着することができる。これにより、一つの溶着箇所における溶着固定作業において、加熱する装置と圧着する装置とを持ち替える必要がなくなり、作業性が向上する。
特に夏場では、電磁加熱コイルユニットへの給電を停止して誘導加熱を止めるだけでは、溶着箇所の冷却が十分に達成されない。このため、押圧パッドを通じて溶着箇所を強制冷却する冷却機構が備えられている。これにより、溶着箇所への冷却が改善され、溶着箇所の速やかな固着及び熱変形の抑制が効率よく行われる。
その際、前記冷却機構には冷却風を発生させる冷却ファンが含まれ、前記冷却風を前記押圧パッドに与える冷却通路が形成されることで、溶着箇所の確実で十分な冷却が実現される。
【０００９】
本発明の好適な実施形態の１つでは、前記冷却ファンが、前記加熱コイル及び前記押圧パッドの上方に位置する。
【００１０】
本発明の好適な実施形態の１つでは、前記冷却通路には、前記押圧パッドに形成されたパッド側冷却通路が含まれている。これにより、押圧パッドは、広い箇所で冷却風に接することができ、効果的に冷却される。これにより溶着箇所に対する冷却が強化される。
【００１１】
溶着箇所に対する冷却をさらに強化するために、本発明の好適な実施形態の１つでは、前記パッド側冷却通路は前記押圧パッドの前記押え面に向き合う面に溝状に形成された溝状通路と、前記溝状通路に連通して前記押圧パッドを貫通する流出孔とを有する。これにより押圧パッドに冷却風が効果的に流れ、押圧パッドが急速に冷却され、結果的に溶着箇所が冷却される。
【００１２】
本発明の好適な実施形態の１つでは、前記電源部が充電可能なバッテリで構成され、前記バッテリと前記電磁加熱コイルユニットと前記給電部と前記制御ユニットとを一体的に取り付けるハウジングが備えられている。この構成により、電源ケーブルが不要となり、作業性は向上する。また、バッテリや電磁加熱コイルユニットなどの構成要素がハウジングによって一体的に構成されるため、装置自体は重くなるが、この重さが、溶着箇所の圧着のためには利点となる。従来のような、作業者が体重をかけて押し付けるような行為は不要となり、装置の自重により十分な圧着力が、しかも安定的に得られるので、好都合である。
【００１３】
【図面の簡単な説明】
【００１４】
【図１】本発明による携帯用誘導加熱溶着装置の基本構造を示す模式図である。
【図２】本発明による携帯用誘導加熱溶着装置の冷却通路の変形例を示す模式図である。
【図３】本発明による携帯用誘導加熱溶着装置の実施形態の１つを示す斜視図である。
【図４】防水シート固定金具を示す斜視図である。
【図５】防水シート固定金具の断面図である。
【図６】防水層の形成状況を示す断面図である。
【図７】携帯用誘導加熱溶着装置の構成要素と制御の流れを示す模式図である。
【図８】携帯用誘導加熱溶着装置の制御系を示す機能ブロック図である。
【図９】別実施形態であるピストル型誘導加熱溶着装置の側面図である。
【図１０】加熱コイルユニットの別実施形態を示す模式図である。
【図１１】図１０による加熱コイルユニットの変形例を示す模式図である。
【発明を実施するための形態】
【００１５】
本発明による携帯用誘導加熱溶着装置の具体的な実施形態を説明する前に、図１を用いて、本発明を特徴付けている基本構造を説明する。
図１では模式化されているが、この携帯用誘導加熱溶着装置１００では、実質的にその構成要素の全てがハウジング１によって一体的に組み付けられている。ここでは、ハウジング１は上部が天板１１で閉鎖され、下部が開口している筒状体である。天板１１の下方に電源部として機能する充電可能なバッテリ２が配置されている。バッテリ２の下方に給電部３が配置され、さらに給電部３の下方に電磁加熱コイルユニット４が配置されている。電磁加熱コイルユニット４は電磁加熱用コイル（以下単に加熱コイルと略称する）４０とこの加熱コイル４０を支持する基台４１を備えている。基台４１は、円板部４２と円板部４２の中央に立設されているポスト部４３とを有する。円板部４２の底面には円形の凹部４４が形成されており、この凹部４４に加熱コイル４０が保持されている。この加熱コイル４０の下端を含む円板部４２の底面は、溶着対象物ＯＢを抑え付ける押え面として機能するので、実質的に平坦な面に形成されている。
【００１６】
給電部３を制御する制御ユニット５は、バッテリ２ないしは給電部３とハウジング１との隙間空間に配置される。図１の例では、バッテリ２の装着部に隣接して配置されている。
【００１７】
この携帯用誘導加熱溶着装置１００の溶着対象物ＯＢは、図１の例では、ビルの屋上などのスラブに固定された固定具７０と、この固定具７０と接合する防水シート７である。固定具７０の平坦な固定面には熱可塑性接着剤層が形成されており、固定具７０に防水シート７を重ねて、その上から携帯用誘導加熱溶着装置１００を押し当て、加熱作業とその後の押圧作業とが行われる。加熱作業と押圧作業とからなる溶融接着作業を繰り返すことにより、防水シート７が多数の固定具７０に接合し、防水シート７がスラブに敷設される。
【００１８】
誘導加熱によって接着剤を溶かした後、防水シート７を固定具７０に所定圧力で所定時間だけ接着剤が硬化する温度で押し付けることにより、固定具７０と防水シート７との良好な接合が得られる。本発明による、携帯用誘導加熱溶着装置１００は、加熱後、そのまま、基台４１の円板部４２を防水シート７に押し付けることで押圧作業を遂行する。この押圧作業を効果的に行うために、円板部４２の底面である押え面をカバーするように押圧パッド９が基台４１の円板部４２に装着されている。
【００１９】
図１で示した押圧パッド９は円板部４２の押え面を下から覆うシュー形態の装着形パッド９０として形成されている。この装着形パッド９０は、クッション性を有する軟質ゴムのような樹脂材料で構成されており、円板部４２の下面と同形状で当該下面に密着する押圧部９１と、押圧部９１の外周縁から垂直に立ち上がって円板部４２の上面縁を押さえ込むリング状鍔部９３を有する側壁部９２とからなる。押圧部９１と側壁部９２とリング状鍔部９３とによって区画される空間に円板部４２を嵌め込むようにして、装着形パッド９０を円板部４２に装着することができる。押圧部９１は誘導加熱後の防水シート７の押圧を効果的に行う厚さを有する。装着形パッド９０は簡単に取り外すことができるので、状況に応じて交換することで、適正な厚さやクッション性を有する装着形パッド９０の利用が可能である。
【００２０】
さらに押圧作業時では、装着形パッド９０の温度が低いことが重要である。装着形パッド９０は誘導加熱が行われている間、溶着対象物ＯＢである固定具７０の熱に晒されているので、誘導加熱が終了した段階で、装着形パッド９０が効果的に冷却される必要がある。このため、図１で示した携帯用誘導加熱溶着装置１００では、加熱コイル４０の上方に位置して加熱コイル４０を強制的に冷却する冷却機構６としての冷却ファンユニット６０が設けられている。冷却ファンユニット６０の冷却ファン６１は図示されていないモータによって駆動し、基台４１に設けられた冷却風を通過させる冷却通路６２を通じて、加熱コイル４０及び装着形パッド９０に冷却風を送り出し、誘導加熱を終了した加熱コイル４０及び装着形パッド９０を冷却する。
【００２１】
図１の例では、冷却通路６２は、一端が冷却ファン６１に開口するとともに他端が基台４１の凹部４４に開口する基台４１の中央を延びる通過孔４５から構成されている。より大量の冷却風を加熱コイル４０及び装着形パッド９０に与えるためには、基台４１の凹部４４上方に複数の貫通孔を設けるとよい。さらには、装着形パッド９０にもパッド側冷却通路を形成するとよい。
【００２２】
図２には、冷却通路６２のより好適な形態が示されている。この形態では、パッド側冷却通路として、装着形パッド９０の押え面に向き合う面に、分流用の中央凹部９４と、中央凹部９４から周方向外側に延びる溝状に形成された溝状通路９５とが形成されている。溝状通路９５の外端は外部に冷却風を放出する流出孔として形成されている。これにより、冷却風が、押圧パッド９及び加熱コイル４０が作り出す押圧面と装着形パッド９０との間に直接流れ込み、装着形パッド９０が強制的にかつ効果的に冷却される。その結果、防水シート７に対する冷却効果も高まり、接着剤が速やかに固化して強固に固着するとともに、防水シート７の昇温が阻止されて、その熱変形も防止される。
【００２３】
装着形パッド９０の底面が防水シート７と接当するので、少なくとも装着形パッド９０がハウジング１の開口から突き出すように構成されている。
【００２４】
電源コードを不要にするため、電源部として採用されているバッテリ２はハウジング１に収納されるとともに、随時ハウジングから取り出すことができる。図１の例では、ハウジング１の側壁に形成された開口（蓋で閉鎖されてもよい）を通じて取り外し可能及び装着可能となっている。給電部３は、バッテリ２からの直流電流を高周波電流に変換するインバータ回路などのパワーエレクトロニクス回路を備えている。給電部３で生成された高周波電流が電磁加熱コイルユニット４の加熱コイル４０に供給されることで、装着形パッド９０の押圧部９１に対向して位置している固定具７０が電磁加熱される。
【００２５】
次に、本発明による携帯用誘導加熱溶着装置１００の具体的な実施形態の１つを説明する。ここでも、この携帯用誘導加熱溶着装置１００は、屋上などにおける防水下地に固定された固定具７０に防水シート７を固定するために用いられる。その際、固定具７０の上面に付与されている接着層は、電磁誘導による固定具７０の加熱によって溶融し、その後、冷却機構６の動作の下で、押圧パッド９を介して防水シート７と固定具７０との間で押し付けられる。これにより、防水シート７は固定具７０に接着固定される。
【００２６】
図３は、防水シート７の敷設前の建物の屋上スラブを示す斜視図である。この斜視図は、携帯用誘導加熱溶着装置１００を用いて、防水下地となる鉄筋コンクリート製のスラブ本体の上に配設された固定具７０に防水シート７であるシート材を接着させる作業を示している。この携帯用誘導加熱溶着装置１００は、図１を用いて説明された基本構造を採用している。
【００２７】
このスラブ本体は、屋上部分のスラブを想定している。しかしながら、鉄筋コンクリート構造のスラブの他、ＡＬＣパネルを敷き並べて形成したスラブや、デッキプレートや金属折板とコンクリートを組み合わせて形成したスラブや、さらには、それらの上に断熱層を積層させたもの等、様々な形態のスラブに、本発明は適用可能である。スラブ本体は、固定具７０をアンカーボルト等によって固定できることが好ましい。
【００２８】
固定具７０は、例えば、図３と図４と図５とに示すように、直径５０〜１００ｍｍ程度のステンレス鋼製円板の上面に、防水シート７に対する接着材として溶けて接着性を発揮するポリエステル樹脂等の熱可塑性合成樹脂からなる面状のホットメルト接着層（以下単に接着層と略称する）７１を被覆したワッシャ形状体である。固定具７０はその中心に座繰り凹部７２、及び、その底部分にアンカーボルト７９（図６参照）の取付孔７４が形成され、固定具７０の上面は、座繰り凹部７２の周りに所定幅を隔てて環状凹部７３が形成されている。固定具７０は、スラブ本体上に、縦横に所定の間隔を開けた各位置に配置され、取付孔７４を通じてねじ固定される。
なお、固定具７０は、板金をプレス加工して図のような起伏形状に成形されており、前記座繰り凹部７２や環状凹部７３等の凹部を形成することによって、平板のままより断面二次モーメントが増加し、薄板であっても高い強度を得ることができる。
【００２９】
大面積の防水シート７は、ＰＶＣシートによって構成され、工場で所定幅寸法の長尺体防水シート材を巻き取ってロール体を形成しておき、そのロール体を現場で広げながら配置し、隣接する各防水シート７の側縁部どうしを接着することで作り出される。勿論、予め、敷設する対象面積に合わせて一体品の防水シート７を形成しておくものであってもよいし、また、素材に関しても、ＰＶＣ以外にも、ゴムやＴＰＥ（サーモ・プラスチック・エラストマ）製のシート、または、その他の素材からなる防水シート７であってもよい。
【００３０】
図６に示すように、スラブ本体への防水シート７の固定は、まず多数の固定具７０の上に防水シート７を被せる（図６（ａ）参照）。次いで、防水シート７の上方から、携帯用誘導加熱溶着装置１００を固定具７０の真上となる位置にセットして、固定具７０に対して誘導加熱を行う（図３参照）。固定具７０を加熱することによって、接着層７１が溶融し、固定具７０の上面と防水シート７の下面とが溶融した接着剤を介して密着し、その後冷却しながら加圧することで、固定具７０と防水シート７とが、結果的には防水シート７とスラブ本体とが固定される（図６（ｂ）参照）。
【００３１】
図７に、この実施形態における携帯用誘導加熱溶着装置１００の基本構造と、この携帯用誘導加熱溶着装置１００を用いた誘導加熱制御における信号の流れとが模式的に示されている。図８には、この携帯用誘導加熱溶着装置１００の制御系の機能ブロック図が示されている。
【００３２】
携帯用誘導加熱溶着装置１００は、この実施形態では円形断面を有する筒体１２の上端を天板１１で閉鎖させたハウジング１を備えている。筒体１２は、２つの隔壁１３ａと１３ｂとによって３つの空間、上から順に、第１空間Ｓ１、第２空間Ｓ２、第３空間Ｓ３に区画されている。一番上の第１空間Ｓ１にはバッテリ２が配置され、中間の第２空間Ｓ２には給電部３と制御ユニット５とが配置され、一番下の第３空間Ｓ３には電磁加熱コイルユニット４と冷却ファンユニット６０とが配置されている。天板１１にはアーチ状のグリップ１９が設けられている。
【００３３】
筒体１２の第１空間Ｓ１を包囲している壁体にはバッテリ２を出し入れするための開口１２ａが設けられており、バッテリ２は開口１２ａに対向する位置の壁面に設けられたバッテリコネクタ部１７に対して着脱自在となっている。
【００３４】
筒体１２の第２空間Ｓ２を包囲している壁体には、第２空間Ｓ２に収納されている給電部３と制御ユニット５とから放出される熱を逃がすために、多数の外気流通口が形成されている。
【００３５】
電磁加熱コイルユニット４と冷却機構６としての冷却ファンユニット６０とは、一体的に組み付けられており、その上端部が隔壁１３ｂに連結されている。電磁加熱コイルユニット４は、加熱コイル４０と加熱コイル４０を保持している基台４１とからなり、基台４１は、円板部４２と円板部４２の中央に立設されているポスト部４３とを有する。円板部４２には、図１で示すような装着形パッド９０が、押圧パッド９として装着されている。ポスト部４３の上端に冷却ファンユニット６０が設けられている。ポスト部４３及び円板部４２には、図１を用いて説明したように、冷却ファンユニット６０からの冷却風を通過させる冷却通路６２が形成されている。冷却ファンユニット６０は図示されていないモータによってファンが駆動することで、冷却風を加熱コイル４０及び装着形パッド９０に与える。これにより、防水シート７に対する冷却効果が向上する。なお、図７では、装着形パッド９０は、冷却風のための特別な通路が形成されていない基本的なパッドの形態で図示されているが、もちろん図２で示しているような、中央凹部９４や溝状通路９５等からなる冷却風通路を形成したパッドを装着してもよい。
【００３６】
図８に示すように、制御ユニット５は、本発明に関係する機能部として、検出信号評価部５１、加熱挙動算定部５２、加熱制御部５３、冷却制御部５４を備えている。これらの機能は、実質的にはプログラムの起動によって実現する。また、制御ユニット５には、入出力インターフェース５０を介して種々の外部機器と接続されている。外部機器としては、メモリデバイス５５、データ通信部５６、報知部５７、温度検出ユニット８０、センサ・スイッチ群８、ＧＰＳユニット８００が接続されている。さらに、制御ユニット５は、バッテリ２に内蔵されているコントローラや給電部３とも制御信号等の信号を伝達可能に接続されている。
【００３７】
温度検出ユニット８０は、この実施形態では、防水シート７の表面温度を検出する表面温度検出器８０１と防水シート７周辺の環境温度を検出する環境温度検出器８０２とを含んでおり、これらの温度検出信号は制御ユニット５に送られる。表面温度検出器８０１と環境温度検出器８０２とは、ハウジング１に設けられたブラケットに装備されている。センサ・スイッチ群８は、この携帯用誘導加熱溶着装置１００に組み込まれているセンサやスイッチの総称であるが、本発明に特に関係するものとして、操作スイッチ８１、感圧スイッチ（または感圧センサ）８２、位置検出センサ８３が挙げられる。操作スイッチ８１は、ハウジング１のグリップ１９周辺に設けられ、誘導加熱の始動機能を有する。感圧スイッチ８２は、円板部４２と押圧パッド９との間に設けられ、誘導加熱後の押圧作業時の防水シート７に対する押し付け圧を検出する。位置検出センサ８３は、加熱コイル４０の誘導加熱有効範囲に固定具７０が正確に位置しているかどうかを検出するものであり、この実施形態では、固定具７０を検出する、好ましくは３つ以上の磁気センサである。ＧＰＳユニット８００は、ＧＰＳ衛星などの衛星からの電波を検知して携帯用誘導加熱溶着装置１００の現在位置（方位座標）を算出して、制御ユニット５に与える。
【００３８】
制御ユニット５の検出信号評価部５１は、センサ・スイッチ群８、温度検出ユニット８０、ＧＰＳユニット８００から入力された信号を評価して、その評価信号を必要とする機能部に送り出す。例えば、温度検出信号は温度検出信号として加熱挙動算定部５２や加熱制御部５３に送られる。感圧スイッチ８２や位置検出センサ８３からの信号は、それぞれに設定されている基準範囲と比較され、基準範囲から外れている場合は、報知部５７を通じて視覚的警報や聴覚的警報が与えられる。
【００３９】
加熱挙動算定部５２は、加熱時間算定部５２１と加熱強度算定部５２２と挙動導出テーブル５２３を含んでいる。加熱時間算定部５２１は、防水シート７の表面温度と環境温度との情報を含む温度検出信号から挙動導出テーブル５２３を用いて加熱時間を算定する。加熱強度算定部５２２は、温度検出信号から挙動導出テーブル５２３を用いて加熱強度（誘導加熱の強さ）を算定する。その際、加熱時間を単位時間に区切って、その単位時間毎に加熱強度を算定すれば、経時的な加熱強度曲線が得られる。この加熱強度曲線に基づく加熱制御指令は加熱制御部５３に転送される。加熱制御部５３は、受け取った加熱制御指令に基づいて、制御信号を給電部３に与える。給電部３は、受け取った制御信号に基づいて、固定具７０において適切な加熱挙動が実現するようにパワーエレクトロ回路（インバータ回路や昇圧回路など）を継時的に制御する。
【００４０】
冷却制御部５４は、誘導加熱の終了後、冷却ファンユニット６０に冷却制御信号を与え、冷却ファン６１を駆動して、装着型パッド９０と加熱コイル４０を冷却し、結果的に防水シート７を冷却する。この冷却の間、装着形パッド９０を介して固定具７０の上方に位置する防水シート７を押し付けることで、固定具７０と防水シート７との接着固定が良好に促進される。
【００４１】
メモリデバイス５５には、誘導加熱を用いた各固定具７０に対する接着固定に関する作業データが書き込まれる。データ通信部５６はオプショナルな機能であり、作業データなどの内部データを外部に送信する機能や外部から送信されてきたデータを受信するために用いられる。
【００４２】
図９には、本発明による携帯用誘導加熱溶着装置１００の別実施形態として、超小型のピストル型誘導加熱溶着装置が示されている。ハウジング１はＬ字形に屈曲した筒体であり、その一端側に充電式のバッテリ２が配置され、その他端側に電磁加熱コイルユニット４が配置されている。電磁加熱コイルユニット４の溶着対象物ＯＢに向き合う面には押圧パッド９が装着されている。ハウジング１の中間部には、片手で握りやすい形状のグリップ部１９０が形成され、グリップ部１９０を握った手の指で操作しやすい位置に操作スイッチ８１として機能するトリガーが設けられている。グリップ部１９０の内部には制御ユニット５が配置され、制御ユニット５と電磁加熱コイルユニット４との間に給電部３が配置されている。グリップ部１９０の周辺に報知部５７として機能するフラットパネルが設けられており、種々の情報が表示可能である。さらに、メモリデバイス５５として機能する着脱可能な半導体メモリカードも装着されている。なお、その他種々のセンサ・スイッチ群８や温度検出ユニット８０、さらにはＧＰＳユニット８００を装備することも可能である。片手操作を可能にするため、バッテリ２には軽量で小型の高性能バッテリが用いられているが、電磁誘導加熱を長時間続けるためにはバッテリ容量が不足するので、作業者は常時複数の予備のバッテリ２を持参し、バッテリ交換しながら作業を進める。
【００４３】
〔その他の実施形態〕（１）上述した実施形態では、押圧パッド９は、基台４１の円板部４２にその下面から被せるように装着されるシュー状の押圧パッド９として構成していたが、これに代えて、ハウジング１の下端に取り付けられるパッドフレームとこのパッドフレームに固定されたクッション材とから構成してもよい。
【００４４】
（２）図１０で示された携帯用誘導加熱溶着装置１００では、円板部４２の上面が実質的に平坦な面に形成され、加熱コイル４０を載置する面として機能している。円板部４２の下面及び側面は、シュー形態の装着形パッド９０として円板部４２に装着されている押圧パッド９によって覆われている。この別実施形態では、冷却ファン６１による冷却風の基台４１に対する冷却効果を高めるために、基台４１に冷却通路６２が形成されている。円板部４２の上面には加熱コイル４０が密集しており、スムーズな空気流通が妨げられる。
このため、図１０に示す例では、冷却通路６２として、加熱コイル４０を通り抜けた冷却風が円板部４２を効果的に冷却するために、円板部４２の上面には、溝状の通路がコイル側冷却通路６２１として形成されている。
【００４５】
（３）図１１には、図１０で示された携帯用誘導加熱溶着装置１００の変形例が示されている。この変形例では、冷却通路６２としてコイル側冷却通路６２１だけではなく、基台４１の円板部４２の下面（押え面）に溝状の通路が対象物側冷却通路６２２として形成されるとともに、円板部４２の上面から下面まで貫通してコイル側冷却通路６２１と対象物側冷却通路６２２とを連通する連通路６２３が形成されている。これにより、冷却風が、円板部４２と押圧パッド９との間にも流れ、装着形パッド９０も強制的に冷却される。これにより、結果的には、防水シート７に対する冷却効果も高まり、接着剤が速やかに固化して強固に固着するとともに、防水シート７の昇温が阻止されて、その熱変形も防止される。さらに、図示はされていないが、コイル側冷却通路６２１や対象物側冷却通路６２２と連通する孔を装着形パッド９０に設け、その孔から冷却風を排出して、その周辺を冷却する構造を採用してもよい。
【００４６】
（４）冷却ファンユニット６０のファンは、加熱コイル４０の上方ではなく、側方に配置してもよい。また、円板部４２の冷却のための冷却機構６として、ペルチェ素子などを用いた電子冷却機構を採用してもよい。この場合、電子冷却機構を直接円板部４２に利点が得られる。その際、冷却ファンユニット６０と電子冷却機構との両者で円板部４２を冷却すれば、さらに溶着箇所の冷却が効果的に行われる。
【００４７】
（５）上述した実施形態では、バッテリ２と給電部３と制御ユニット５とは電磁加熱コイルユニット４と冷却ファンユニット６０とがハウジング１によって一体的に組み付けられている。これに代えて、バッテリ２を別体とし、電磁加熱コイルユニット４や給電部３などを組み付けているハウジング１から分離して、バッテリ２から給電部３にケーブルを用いて接続してもよい。さらには、バッテリ２と給電部３とを一体構成として、給電部３と電磁加熱コイルユニット４とをケーブルで接続してもよい。また、本発明では、電源部として商用電源を用いることを除外していない。
【００４８】
（６）基台４１をハウジング１に対して自在継手などを用いて横揺動軸心周りで一方方向または全方向の揺動を許すように取り付けてもよい。この構成を採用することで、電磁加熱コイルユニット４や押圧パッド９は、ハウジング１に対して所定角度内において自由な角度姿勢を取ることができる。
【００４９】
（７）図８で示された制御ユニット５の各機能部は、説明目的で便宜上区分けされたものであり、任意の複数の機能部を統合してもよいし、各機能部をさらに区分けしてもよい。
【産業上の利用可能性】
【００５０】
本発明は、磁気誘導加熱を利用して、溶着対象物を加熱して溶着する携帯用加熱装置に適用可能である。
【符号の説明】
【００５１】
１００    ：携帯用誘導加熱溶着装置
１        ：ハウジング
２        ：バッテリ（電源部）
３        ：給電部
４        ：電磁加熱コイルユニット
４０      ：加熱コイル
４１      ：基台
４２      ：円板部
４３      ：ポスト部
４４      ：凹部
４５      ：通過孔
５        ：制御ユニット
６        ：冷却機構
６０      ：冷却ファンユニット
６１      ：冷却ファン
６２      ：冷却通路
６２１    ：コイル側冷却通路
６２２    ：対象物側冷却通路
６２３    ：連通路
７        ：防水シート
７０      ：固定具
９        ：押圧パッド
９０      ：装着形パッド
９１      ：押圧部
９２      ：側壁部
９３      ：リング状鍔部
ＯＢ      ：溶着対象物
【図１】
0006452417.tif 000002
【図２】
0006452417.tif 000003
【図３】
0006452417.tif 000004
【図４】
0006452417.tif 000005
【図５】
0006452417.tif 000006
【図６】
0006452417.tif 000007
【図７】
0006452417.tif 000008
【図８】
0006452417.tif 000009
【図９】
0006452417.tif 000010
【図１０】
0006452417.tif 000011
【図１１】
0006452417.tif 000012